(57)【要約】  患者の呼気を適切に検出できるマスク装置は、患者に装着されるマスク本体と、患者の呼気を流通させる呼気流通流路を有し、呼気の検出に用いられる呼気チューブと、患者への酸素の供給に用いられる酸素チューブと、を備え、マスク本体は、酸素チューブが接続される酸素供給口と、呼気チューブを支持可能な呼気チューブ支持部と、を備え、呼気チューブ支持部は、マスク本体が患者に装着された際に、呼気チューブの先端と患者の鼻部との距離及び呼気チューブの先端と患者の口部との距離の少なくとも一方の距離を変えて呼気チューブを支持可能に構成されている。
2020080357.tif 000002
【特許請求の範囲】
【請求項１】
患者の鼻部及び口部を覆うようにして装着されるマスク本体と、
前記患者の呼気を流通させる呼気流通流路を有し、呼気の検出に用いられる呼気チューブと、
前記患者への酸素の供給に用いられる酸素チューブと、を備え、
前記マスク本体は、前記酸素チューブが接続される酸素供給口と、前記呼気チューブを支持可能な呼気チューブ支持部と、を備え、
前記呼気チューブ支持部は、前記マスク本体が前記患者に装着された際に、前記呼気チューブの先端と前記鼻部との距離及び前記呼気チューブの先端と前記口部との距離の少なくとも一方の距離を変えて前記呼気チューブを支持可能に構成されていることを特徴とするマスク装置。
【請求項２】
前記呼気チューブ支持部は、前記マスク本体から突出する突出状支持部を有し、
前記突出状支持部は、前記呼気チューブの先端を前記鼻部近傍に向けた状態で前記呼気チューブを支持可能に構成され、かつ、前記呼気チューブの先端を前記口部近傍に向けた状態で前記呼気チューブを支持可能に構成されていることを特徴とする請求項１に記載のマスク装置。
【請求項３】
前記突出状支持部は、前記マスク本体における前記酸素供給口の右側及び左側の少なくとも一方側の内面から突出し、前記呼気チューブを前記マスク本体の内面に沿ってスライド可能に支持する支持部材であることを特徴とする請求項２に記載のマスク装置。
【請求項４】
前記マスク本体には、該マスク本体の外側と内側との間の通気を行う開孔が少なくとも１つ形成され、
前記呼気チューブ支持部は、前記開孔における内周縁の一部が切り欠かれ、前記呼気チューブを嵌合できる切欠き部からなる切欠き状支持部を有し、
前記切欠き状支持部は、前記呼気チューブの長手方向に沿って前記呼気チューブをスライド可能に支持することを特徴とする請求項１から３のいずれか一項に記載のマスク装置。
【請求項５】
前記開孔として、左右一対の開孔が形成されており、
前記切欠き状支持部は、前記一対の開孔の少なくとも１つに設けられていることを特徴とする請求項４に記載のマスク装置。
【請求項６】
前記開孔として、左右一対の第１開孔と、前記第１開孔より下側に位置する第２開孔とが形成されており、
前記切欠き状支持部は、前記第１開孔及び前記第２開孔の少なくとも１つに設けられていることを特徴とする請求項４に記載のマスク装置。
【請求項７】
前記呼気チューブ支持部は、前記マスク本体の表面に設けられ、前記呼気チューブに接続させる複数のコネクタ接続部を有し、
各コネクタ接続部には、前記マスク本体の外側と内側とを連通する連通孔が形成されていることを特徴とする請求項１から６のいずれか一項に記載のマスク装置。
【請求項８】
患者の鼻部及び口部を覆うようにして装着されるマスク本体を備え、
前記マスク本体は、前記患者への酸素の供給に用いられる酸素チューブが接続可能な酸素チューブ接続部と、前記患者の呼気の検出に用いられる呼気チューブを支持可能な呼気チューブ支持部と、を備え、
前記呼気チューブ支持部は、前記マスク本体が前記患者に装着された際に、前記呼気チューブの先端と前記鼻部との距離及び前記呼気チューブの先端と前記口部との距離の少なくとも一方の距離を変えて前記呼気チューブを支持可能に構成されていることを特徴とするマスク。
【請求項９】
患者の鼻部及び口部を覆うようにして装着されるマスク本体と、前記患者の呼気を流通させる呼気流通流路を有し、呼気の検出に用いられる呼気チューブと、前記患者への酸素の供給に用いられる酸素チューブと、を備えるマスク装置を用いて、患者の呼気を検出する呼気検出方法であって、
前記マスク本体として、前記酸素チューブが接続される酸素供給口と、前記呼気チューブを支持可能な呼気チューブ支持部と、を備えるマスク本体を用い、
前記呼気チューブ支持部は、前記マスク本体が前記患者に装着された際に、前記呼気チューブの先端と前記鼻部との距離及び前記呼気チューブの先端と前記口部との距離の少なくとも一方の距離を変えて前記呼気チューブを支持可能に構成されており、
前記呼気チューブ支持部に支持された前記呼気チューブの先端と前記鼻部又は前記口部との距離を調整して、前記患者の呼気を検出することを特徴とする呼気検出方法。
【請求項１０】
前記呼気チューブ支持部は、前記マスク本体から突出する突出状支持部を有し、
前記呼気チューブを前記突出状支持部に支持させた状態で、前記呼気チューブの先端を前記鼻部近傍又は前記口部近傍に向けることにより、前記患者の呼気を検出することを特徴とする請求項９に記載の呼気検出方法。
【請求項１１】
前記マスク本体には、該マスク本体の外側と内側との間の通気を行う開孔が少なくとも１つ形成されており、
前記開孔を介して、前記呼気チューブを前記突出状支持部に支持させることを特徴とする請求項１０に記載の呼気検出方法。
【発明の詳細な説明】
【技術分野】
【０００１】
本発明は、患者の呼気を検出可能なマスク装置、マスク及び呼気検出方法に関する。本願は、日本国において２０１８年１０月１８日に出願された特願２０１８−１９６３８６号に基づき優先権を主張し、その内容をここに援用する。
【背景技術】
【０００２】
従来、患者に酸素を供給するための患者用酸素供給マスクが知られている（例えば、特許文献１参照）。このマスクの中央部に形成された接続部には、チューブが接続されている。このチューブは、酸素をマスク内に供給する酸素供給用流路と、酸素供給用流路の内側に設けられ、患者の呼気をマスク外へと排出する呼気流通流路と、を備えている。酸素は酸素供給用流路からマスク内に供給され、患者の呼気（二酸化炭素）は呼気流通流路からマスク外に排出される。呼気流通流路からマスク外に排出された呼気は、呼気検出器に供給され、患者の呼気が検出される。
【先行技術文献】
【特許文献】
【０００３】
【特許文献１】米国特許出願公開第２００６／０１９６５１０号明細書
【発明の概要】
【発明が解決しようとする課題】
【０００４】
通常、マスクの中央部は患者の鼻部近傍に固定されるが、特許文献１の構成では、呼気流通流路を備えるチューブがマスクの中央部に接続されることから、例えば、患者の呼吸が極めて弱い場合、呼気流通流路に患者の呼気を適切に流通させることが難しくなる。呼気流通流路に患者の呼気を流通させることができなくなると、呼気検出器によって患者の呼気を検出するのが困難となる。【０００５】
本発明は、このような事情に鑑みてなされたもので、患者の呼気を適切に検出できるマスク装置、マスク及び呼気検出方法を提供することを目的とする。
【課題を解決するための手段】
【０００６】
本発明のマスク装置は、患者の鼻部及び口部を覆うようにして装着されるマスク本体と、前記患者の呼気を流通させる呼気流通流路を有し、呼気の検出に用いられる呼気チューブと、前記患者への酸素の供給に用いられる酸素チューブと、を備え、前記マスク本体は、前記酸素チューブが接続される酸素供給口と、前記呼気チューブを支持可能な呼気チューブ支持部と、を備え、前記呼気チューブ支持部は、前記マスク本体が前記患者に装着された際に、前記呼気チューブの先端と前記鼻部との距離及び前記呼気チューブの先端と前記口部との距離の少なくとも一方の距離を変えて前記呼気チューブを支持可能に構成されている。【０００７】
本発明では、上述した呼気チューブ支持部を備えているため、呼気チューブの先端と患者の鼻部との距離及び呼気チューブの先端と患者の口部との距離の少なくとも一方の距離を変えて呼気チューブを支持することができる。このため、呼気チューブに患者の呼気を適切に流通させることができ、本発明のマスク装置を用いることにより、患者の呼気を適切に検出できる。また、本発明によれば、上述した呼気チューブ支持部を備えているため、テープ等の固定手段を用いることなく、患者の呼吸状態（鼻呼吸及び口呼吸）に合わせて呼気チューブの先端を鼻部又は口部に容易に固定できる。【０００８】
本発明のマスク装置の好ましい態様としては、前記呼気チューブ支持部は、前記マスク本体から突出する突出状支持部を有し、前記突出状支持部は、前記呼気チューブの先端を前記鼻部近傍に向けた状態で前記呼気チューブを支持可能に構成され、かつ、前記呼気チューブの先端を前記口部近傍に向けた状態で前記呼気チューブを支持可能に構成されているとよい。【０００９】
上記態様では、呼気チューブの先端を患者の鼻部近傍及び口部近傍のいずれに向けた状態でも配置できるので、患者の呼吸（鼻呼吸及び口呼吸）に合わせて適切な位置に呼気チューブの先端を固定することができる。【００１０】
本発明のマスク装置の好ましい態様としては、前記突出状支持部は、前記マスク本体における前記酸素供給口の右側及び左側の少なくとも一方側の内面から突出し、前記呼気チューブを前記マスク本体の内面に沿ってスライド可能に支持する支持部材であるとよい。【００１１】
上記態様では、マスク本体の内面に沿って呼気チューブをスライドさせることができるため、患者の鼻部又は口部から排出される呼気の流れに対して呼気チューブの先端方向が最適となるように、呼気チューブの先端を患者の鼻部近傍又は口部近傍に配置することができる。このため、患者の呼気をより確実に検出できる。また、支持部材が呼気チューブをスライド可能に支持するので、鼻部及び口部のそれぞれと呼気チューブの先端との距離を調節できる。【００１２】
本発明のマスク装置の好ましい態様としては、前記マスク本体には、該マスク本体の外側と内側との間の通気を行う開孔が少なくとも１つ形成され、前記呼気チューブ支持部は、前記開孔における内周縁の一部が切り欠かれ、前記呼気チューブを嵌合できる切欠き部からなる切欠き状支持部を有し、前記切欠き状支持部は、前記呼気チューブの長手方向に沿って前記呼気チューブをスライド可能に支持するとよい。【００１３】
上記態様では、切欠き状支持部に呼気チューブを嵌めた状態で呼気チューブを該呼気チューブの長手方向（チューブの軸方向、マスク本体の前後方向）に移動できるので、呼気チューブの先端の位置をより患者の呼気を検出しやすい位置に配置することができる。このため、患者の呼気をより確実に検出できる。【００１４】
本発明のマスク装置の好ましい態様としては、前記開孔として、左右一対の開孔が形成されており、前記切欠き状支持部は、前記一対の開孔の少なくとも１つに設けられているとよい。【００１５】
本発明のマスク装置の好ましい態様としては、前記開孔として、左右一対の第１開孔と、前記第１開孔より下側に位置する第２開孔とが形成されており、前記切欠き状支持部は、前記第１開孔及び前記第２開孔の少なくとも１つに設けられているとよい。【００１６】
本発明のマスク装置の好ましい態様としては、前記呼気チューブ支持部は、前記マスク本体の表面に設けられ、前記呼気チューブに接続させる複数のコネクタ接続部を有し、各コネクタ接続部には、前記マスク本体の外側と内側とを連通する連通孔が形成されているとよい。【００１７】
上記態様では、複数のコネクタ接続部のいずれかに呼気チューブを接続させることにより、呼気チューブの先端と患者の鼻部又は口部との距離を容易に変更できる。例えば、あるコネクタ接続部がマスク本体を装着した際における鼻部近傍に位置し、他のコネクタ接続部が口部近傍に位置している場合、患者の呼吸状態に合わせて呼気チューブを適切なコネクタ接続部に接続させることで、患者の呼気を確実に検出できる。【００１８】
本発明のマスクは、患者の鼻部及び口部を覆うようにして装着されるマスク本体を備え、前記マスク本体は、前記患者への酸素の供給に用いられる酸素チューブが接続可能な酸素チューブ接続部と、前記患者の呼気の検出に用いられる呼気チューブを支持可能な呼気チューブ支持部と、を備え、前記呼気チューブ支持部は、前記マスク本体が前記患者に装着された際に、前記呼気チューブの先端と前記鼻部との距離及び前記呼気チューブの先端と前記口部との距離の少なくとも一方の距離を変えて前記呼気チューブを支持可能に構成されている。【００１９】
本発明の呼気検出方法は、患者の鼻部及び口部を覆うようにして装着されるマスク本体と、前記患者の呼気を流通させる呼気流通流路を有し、呼気の検出に用いられる呼気チューブと、前記患者への酸素の供給に用いられる酸素チューブと、を備えるマスク装置を用いて、患者の呼気を検出する呼気検出方法であって、前記マスク本体として、前記酸素チューブが接続される酸素供給口と、前記呼気チューブを支持可能な呼気チューブ支持部と、を備えるマスク本体を用い、前記呼気チューブ支持部は、前記マスク本体が前記患者に装着された際に、前記呼気チューブの先端と前記鼻部との距離及び前記呼気チューブの先端と前記口部との距離の少なくとも一方の距離を変えて前記呼気チューブを支持可能に構成されており、前記呼気チューブ支持部に支持された前記呼気チューブの先端と前記鼻部又は前記口部との距離を調整して、前記患者の呼気を検出する。【００２０】
本発明では、上述したマスク装置を用いることにより、呼気チューブの先端と患者の鼻部との距離及び呼気チューブの先端と患者の口部との距離の少なくとも一方の距離を変えることができるため、呼気チューブに患者の呼気を適切に流通させることができ、患者の呼気を適切に検出できる。【００２１】
本発明の呼気検出方法の好ましい態様としては、前記呼気チューブ支持部は、前記マスク本体から突出する突出状支持部を有し、前記呼気チューブを前記突出状支持部に支持させた状態で、前記呼気チューブの先端を前記鼻部近傍又は前記口部近傍に向けることにより、前記患者の呼気を検出するとよい。【００２２】
上記態様では、呼気チューブの先端を患者の鼻部近傍及び口部近傍のいずれに向けた状態でも配置できるので、患者の呼吸（鼻呼吸及び口呼吸）に合わせて適切な位置に呼気チューブの先端を固定することができる。【００２３】
本発明の呼気検出方法の好ましい態様としては、前記マスク本体には、該マスク本体の外側と内側との間の通気を行う開孔が少なくとも１つ形成されており、前記開孔を介して、前記呼気チューブを前記突出状支持部に支持させるとよい。【００２４】
上記態様では、マスク本体の縁部（フランジ部）と患者の皮膚との接触面に呼気チューブを配置することなく、開孔を介して呼気チューブを突出状支持部に支持させることができる。これにより、呼気チューブが皮膚に長期間触れ続けることに起因する問題の発生（例えば、患者の不快感や肌トラブルの発生等）を、未然に防止できる。
【発明の効果】
【００２５】
本発明によれば、患者の呼気を適切に検出できる。
【図面の簡単な説明】
【００２６】
【図１】本発明の一実施形態に係るマスク装置を含む呼気検出装置を示す概略図である。
【図２】上記実施形態における呼気検出装置を構成するマスク本体の正面図である。
【図３】上記実施形態におけるマスク本体のコネクタ接続部及び呼気チューブのコネクタを拡大して示す図である。
【図４】上記実施形態におけるマスク本体のコネクタ接続部に呼気チューブが接続された状態を示す斜視図である。
【図５】上記実施形態におけるマスク本体の切欠き部に呼気チューブが装着された状態を示す斜視図である。
【図６】上記実施形態におけるマスク本体の右側の支持部材に呼気チューブが装着された状態を示す背面図である。
【図７】上記実施形態におけるマスク本体の左側の支持部材に呼気チューブが装着された状態を示す背面図である。
【図８】上記実施形態におけるマスク本体の右側の支持部材に呼気チューブが接続された状態を示す背面図である。
【図９】図６に示すＡ１−Ａ１線により切断した支持部材の断面図である。
【図１０】上記実施形態におけるマスク装置が患者に装着された状態を示す正面図である。
【図１１】上記実施形態の変形例に係るマスク本体の正面図である。
【発明を実施するための形態】
【００２７】
以下、本発明のマスク装置、マスク及び呼気検出方法の実施形態について、図面を参照して説明する。
【００２８】
［呼気検出装置の概略構成］
本実施形態の呼気検出装置１は、図１に示すように、マスク装置１００（本発明のマスク装置）と、マスク装置１００から流入される患者９（図１０参照）の呼気を検出して呼気情報を取得する呼気検出器３と、マスク装置１００に酸素を供給する酸素供給器４とを備えている。マスク装置１００は、図１及び１０に示すように、患者９の鼻部及び口部を覆うようにして装着されるマスク本体２を備えるマスク（本発明のマスク）と、患者９の呼気を流通させる呼気流通流路を有し、呼気検出器３に接続可能な呼気チューブ３２と、酸素の供給に用いられる酸素チューブ４２と、を備えている。
【００２９】
呼気チューブ３２の先端には、コネクタ３１が固定され、呼気チューブ３２の基端部には、外部接続用コネクタ３３が固定されている。この外部接続用コネクタ３３は、呼気検出器３に設けられたコネクタ接続部（図示省略）に接続される。例えば、図４に示すように、マスク本体２の外面に形成されたコネクタ接続部２１８（本発明のコネクタ接続部）にコネクタ３１が接続されることにより、患者９の呼気が呼気チューブ３２及び外部接続用コネクタ３３を介して呼気検出器３に供給される。
【００３０】
なお、本実施形態では、呼気検出器３は、二酸化炭素濃度検出器により構成され、患者の呼気から二酸化炭素濃度を検出し、患者の呼吸数等の呼気情報を取得する機能を有する。
【００３１】
また、酸素チューブ４２の先端にはチューブコネクタ４１が固定され、酸素チューブ４２の基端部には外部接続用コネクタ４３が固定されている。この外部接続用コネクタ４３は、酸素供給器４に設けられたコネクタ接続部（図示省略）に接続される。また、チューブコネクタ４１は、マスク本体２の酸素供給口２１０（図２参照）に配設されたコネクタ取付け部２１３（酸素チューブ接続部）に接続されている。このような構成により、呼気検出装置１は、患者９に酸素を供給しつつ、患者の呼気を検出して呼気情報を取得する。
【００３２】
［マスク本体の構成］
マスク本体２は、図１０に示すように、患者９の鼻部９１及び口部９２を覆うようにして装着されている。装着用紐５は、マスク本体２の外周部分に取り付けられており、患者９の頭部９３に掛けることができる。このマスク本体２は、例えば、ほぼ透明な（換言すれば、透光性の）軟質塩化ビニールなどの軟質合成樹脂により、左右が対称的な形状に形成されている。
【００３３】
なお、図１０において、符号９４は患者９の左目、符号９５は患者９の右目である。以下、本実施形態においては、マスク本体２の左右方向は、このマスク本体２が装着される患者９の右目９５側を右方向（右側）とし、患者９の左目９４側を左方向（左側）として説明を行う。すなわち、図２では、図面の左側がマスク本体２の右側とされ、図面の右側がマスク本体２の左側とされる。
【００３４】
マスク本体２は、図１、図２及び図４〜８に示すように、その中央部分に、患者９の鼻部９１及び口部９２との間に空間を設けるようにドーム状のカバー部２１が形成され、カバー部２１の外周部分に、患者９の顔面９０に当接するフランジ部２２が設けられている。このフランジ部２２には、装着用紐５が挿通される円形状の紐取付け用孔２２１〜２２８が左右に４つずつ形成されている（図２参照）。例えば、図１０に示すように、紐取付け用孔２２１〜２２８の中から４つの紐取付け用孔が選択され、装着用紐５を用いて、患者９に装着される。また、左右のフランジ部２２には、紐取付け用孔２２１〜２２８とは別に、包帯（図示省略）を挿通可能な包帯取付け用長孔２３１〜２３４が二対設けられている（図２参照）。
【００３５】
一方、ドーム状に形成されたカバー部２１の左右両側には、その上側寄りにカバー部２１の内側と外側との間の通気を行うための左右一対の略三角形状の通気用開孔２１１，２１２（本発明の開孔又は第１開孔）がそれぞれ形成されている。これら通気用開孔２１１，２１２は、マスク本体２を患者９に装着した状態においては、患者９の左右両側の鼻孔及びこれら鼻孔の周囲に対応する位置に、それぞれ配置される。
【００３６】
具体的には、これら通気用開孔２１１，２１２のそれぞれは、図２に示すように、呼気チューブ３２が挿通可能な大きさに形成されている。略三角形状の通気用開孔２１１，２１２を構成する三辺のうち最も長い辺がフランジ部２２に沿って上側から下側に向けて緩やかな曲線状に延びており、この長い辺の両端からマスク本体２の中央に向けて残る２辺が延びており、これら２辺は、コネクタ取付け部２１３とコネクタ接続部２１８との間の位置から両側方にずれた位置で交わっている。すなわち、略三角形状の各通気用開孔２１１，２１２における頂点の１つは、マスク本体２の中央近傍に位置している。また、各通気用開孔２１１，２１２より下側であって左右方向の中央位置（マスク本体２を患者９に装着した状態において、口部９２の周囲に対応する位置）には、略楕円形状の第２通気用開孔２１６（本発明の開孔又は第２開孔）が形成されている。
【００３７】
また、カバー部２１のほぼ中心位置から若干下側の位置には、酸素供給口２１０が形成され、この酸素供給口２１０には、該酸素供給口に連通する連通孔を有する円筒状のコネクタ取付け部２１３が配設される（図４参照）。このコネクタ取付け部２１３には、酸素チューブ４２のチューブコネクタ４１が装着される。また、コネクタ取付け部２１３は、マスク本体２の下側に円筒の先端部を向けて形成されている。コネクタ取付け部２１３の円筒の先端部には、二箇所の切欠片部２１４，２１５（図４及び図１０参照）が設けられている。切欠片部２１４，２１５には、コネクタ取付け部２１３にチューブコネクタ４１を装着したときに、チューブコネクタ４１の爪部４１１と係合して抜け止めする係止孔２１４ａが設けられている。
【００３８】
なお、チューブコネクタ４１は、例えば、ほぼ透明な硬質塩化ビニールなどの硬質合成樹脂により形成される。酸素チューブ４２も同様に、例えば、ほぼ透明な軟質塩化ビニールなどの軟質合成樹脂により形成され、酸素チューブ４２の一端部にチューブコネクタ４１が取り付けられており、このチューブコネクタ４１を介してマスク本体２に取り付けられる。また、酸素チューブ４２の他端部には、酸素供給器４が備える酸素ボンベなどのガスボンベや、病室などに配設されたガス類供給用ノズルに接続される外部接続用コネクタ４３が取り付けられている。したがって、マスク本体２内の空間には、コネクタ取付け部２１３を介して、酸素ガス流が送り込まれるようになっている。
【００３９】
また、コネクタ３１は、例えば、硬質塩化ビニール等の硬質合成樹脂や軟質の合成樹脂により形成される。このコネクタ３１は、いわゆるルアーロックコネクタであり、図３に示すように、開口部３１１を有し、該開口部３１１の周面には、ねじ溝３１２が形成されている。この開口部３１１内には、開口端に向けて突出する突出部３１３が形成され、この突出部３１３には、呼気チューブ３２に呼気を挿通させるための連通孔３１４が形成されている。
【００４０】
また、呼気チューブ３２は、例えば、ほぼ透明な軟質塩化ビニールなどの弾性を有する軟質合成樹脂により形成され、呼気チューブ３２の先端部にコネクタ３１が取り付けられている。この呼気チューブ３２の基端部には、外部接続用コネクタ３３が接続され、この外部接続用コネクタ３３が呼気検出器３に接続されることにより、患者の呼気が呼気検出器３に供給される。外部接続用コネクタ３３は、上記コネクタ３１と同様に、例えば、硬質塩化ビニール等の硬質合成樹脂により形成される。
【００４１】
＜呼気チューブ支持部の構成＞
［コネクタ接続部の構成］
また、マスク本体２のカバー部２１のほぼ中心位置から若干上側の位置には、図２及び図３に示す連通孔２１７が形成されたコネクタ接続部２１８（本発明のコネクタ接続部）が固定される。このコネクタ接続部２１８は、例えば、硬質塩化ビニール等の硬質合成樹脂により形成される。コネクタ接続部２１８は、マスク本体２（カバー部２１）の表側と内側とを連通する連通孔２１７が形成された円筒状の部位である。また、コネクタ接続部２１８の先端の外周部には、一対の突起２１８１が１８０°反対方向に突出した状態に形成されている。この一対の突起２１８１は、コネクタ３１のねじ溝３１２と螺合する。このため、図１及び図４に示すように、コネクタ接続部２１８にコネクタ３１を接続する際には、コネクタ３１の突出部３１３をコネクタ接続部２１８の連通孔２１７内に挿入して、コネクタ３１を一方向（例えば、右方向）に回しながら接続することにより、コネクタ３１のねじ溝３１２に一対の突起２１８１が螺合し、コネクタ３１が強固にコネクタ接続部２１８に固定される。
【００４２】
このコネクタ接続部２１８は、マスク本体２のほぼ中心位置から若干上側の位置に形成されているため、このマスク本体２が患者９に装着された際には、コネクタ接続部２１８が鼻部９１近傍に位置することとなる。これにより、鼻部９１から排出された患者９の呼気が呼気チューブ３２を介して呼気検出器３へと供給される。すなわち、コネクタ接続部２１８は、本発明の呼気チューブ支持部を構成する複数のコネクタ接続部の１つであり、呼気チューブ３２の先端を患者９の鼻部９１近傍に位置するように呼気チューブ３２を支持する。
【００４３】
［切欠き部の構成］
また、カバー部２１の通気用開孔２１２の縁部には、図２、図４及び図５に示すように、呼気チューブ３２の長手方向（呼気チューブ３２の軸方向、マスク本体２の前後方向）に沿って呼気チューブ３２をスライド可能かつ嵌合可能に支持する切欠き部２１９（本発明の切欠き状支持部）が形成されている。この切欠き部２１９は、上述した略三角形状の通気用開孔２１２の中央側の頂点から、カバー部２１の中央部に向かって延びる挿入部２１９１と、該挿入部２１９１よりカバー部２１の中央部側に位置し、挿入部２１９１の開口幅よりも大きい直径の嵌合部２１９２とからなる。この挿入部２１９１の開口幅は、呼気チューブ３２の径より小さく、かつ、挿入部２１９１を介して呼気チューブ３２を嵌合部２１９２に通過可能な幅に設定される。また、嵌合部２１９２は、例えば、呼気チューブ３２の径と略同一か若干小さな直径の円形状に形成される。なお、切欠き部２１９は、呼気チューブ３２を支持する構成であるため、その周縁部（挿入部２１９１の一部及び嵌合部２１９２）はカバー部２１よりも厚肉に構成されている。
【００４４】
挿入部２１９１に対して呼気チューブ３２の先端をマスク本体２の内面側に配置し、呼気チューブ３２の基端部側をマスク本体２の外面側に配置した状態、すなわち、通気用開孔２１２に呼気チューブ３２を通して呼気チューブ３２の先端をマスク本体２の内側に配置した状態で、呼気チューブ３２を挿入部２１９１に沿って中央部側（嵌合部２１９２側）にスライドさせることにより、呼気チューブ３２を嵌合部２１９２に装着可能となる。この嵌合部２１９２（切欠き部２１９）の周縁部は厚肉に形成されているため、呼気チューブ３２を嵌合部２１９２に嵌合させた後における望ましくない緩みを抑制できる。
【００４５】
なお、本実施形態では、切欠き部２１９は、マスク本体２の右側に設けられた通気用開孔２１２の縁部に形成することとしたが、これに限らず、例えば、マスク本体２の左側に設けられた通気用開孔２１１の縁部（中央部側の頂点近傍）に形成することとしてもよい。すなわち、切欠き部２１９は、通気用開孔２１１，２１２のいずれの縁部に設けられてもよい。なお、切欠き部２１９を通気用開孔２１１，２１２の両方の縁部に形成してもよいが、カバー部２１の中央部の強度が極端に低下しないよう、例えば、通気用開孔２１１，２１２のいずれか一方の縁部にのみ形成するか、通気用開孔２１１，２１２の両方の縁部であって異なる部位（左右非対称となる部位）に形成してもよい。さらに、切欠き部２１９は、第２通気用開孔２１６における口部９２近傍の縁部に形成してもよい。
【００４６】
［支持部材の構成］
カバー部２１の内面（患者９がマスク本体２を装着した際の内側（患者９側）の面）には、図６〜８に示すように、カバー部２１の内面から突出し、マスク本体２の内面に沿って呼気チューブ３２をスライド可能に支持できる左右一対の支持部材２４，２５（本発明の突出状支持部）が設けられている。これら支持部材２４，２５は、例えば、硬質塩化ビニール等の硬質合成樹脂により形成される。また、支持部材２４，２５は、図９に示すように、カバー部２１の内面であって酸素供給口２１０の右側及び左側のそれぞれに溶着されている。
【００４７】
具体的には、支持部材２４は、カバー部２１の右側における通気用開孔２１２と酸素供給口２１０との間に位置し、支持部材２５は、カバー部２１の左側における通気用開孔２１１と酸素供給口２１０との間に位置している。すなわち、支持部材２４は、マスク本体２が患者９に装着された際の口部９２の右端部近傍に位置し、支持部材２５は、マスク本体２が患者９に装着された際の口部９２の左端部近傍に位置している。
【００４８】
なお、支持部材２４，２５は、カバー部２１に溶着されていることとしたが、これに限らず、例えば接着剤等によりカバー部２１に接着される構成であってもよいし、カバー部２１等とあわせて一体成形される構成であってもよい。
【００４９】
これら支持部材２４，２５は、図９に示すように、呼気チューブ３２を左右両側から挟持する形状、換言すると、支持部材２４，２５により構成される溝部２４１，２５１内に呼気チューブ３２を嵌め込んで支持する形状である。溝部２４１，２５１の略中央部の幅Ｌ１（溝部２４１，２５１内に呼気チューブ３２を嵌め込んだときの、呼気チューブ３２の径方向に相当する最大長さ）は、呼気チューブ３２の径と略同一に設定され、溝部２４１，２５１の開放端の幅Ｌ２は、呼気チューブ３２の径より若干小さく設定され、溝部２４１，２５１の高さ寸法Ｌ３は、呼気チューブ３２の径と略同一か若干小さく設定されている。また、支持部材２４，２５の長さ（溝部２４１，２５１内に呼気チューブ３２を嵌め込んだときの、呼気チューブ３２の長手方向に沿った長さ）は、所定長以上（例えば、３ｍｍ以上）に設定されている。これにより、支持部材２４，２５のそれぞれに呼気チューブ３２を装着すると、支持部材２４，２５により適切な圧力で呼気チューブ３２が挟持された状態となる。
【００５０】
これら支持部材２４，２５は、呼気チューブ３２の先端をマスク本体２の略上下方向にスライド可能に支持する。具体的には、これら支持部材２４，２５のそれぞれは、支持部材２４，２５のマスク本体２の上端から該マスク本体２の中心を通り下端まで延びる仮想線Ｃ１（図６参照）に対して、溝部２４１，２５１が所定の角度α傾いた状態となるように、かつ上方から下方に向かうにしたがって両支持部材２４，２５の間隔が広がる配置となるように固定されている。このような支持部材２４，２５の上記仮想線Ｃ１に対する角度αは、例えば、５°〜４５°、より好ましくは２５°〜３５°に設定されている。図６〜図８に示す例では、両支持部材２４，２５は仮想線Ｃ１に対して線対称となるように配置される。
【００５１】
これにより、支持部材２４，２５は、仮想線Ｃ１に対する呼気チューブ３２の角度が５°〜４５°、より好ましくは２５°〜３５°の範囲となるように該呼気チューブ３２を強固に支持し、該支持部材２４，２５の長さ方向に沿って呼気チューブ３２をスライド可能に支持するように構成されている。
【００５２】
ここで、支持部材２４、２５が仮想線Ｃ１に対して平行に設けられている場合（すなわち、α＝０°）、鼻部からの呼気を検出できるようにコネクタ３１を配置しようとすると、第２通気用開孔２１６の中央部分付近から呼気チューブ３２を外側に出す必要があるため、患者が飲み物を飲む際に呼気チューブ３２が邪魔になりやすい。また、支持部材２４、２５が仮想線Ｃ１に対して垂直に設けられている場合（すなわち、α＝９０°）、コネクタ３１の先端が真横に向いてしまうことから鼻部からの呼気を検出しにくいことや、酸素供給口２１０の位置と干渉させずに呼気チューブ３２（コネクタ３１）を配置するのが容易ではないことが懸念される。
【００５３】
これに対し、本実施形態では、支持部材２４，２５の仮想線Ｃ１に対する角度αを上記範囲内とすることにより、図７に示すように、通気用開孔２１１と第２通気用開孔２１６との間に呼気チューブ３２を沿わせることができ、呼気チューブ３２を第２通気用開孔２１６の脇からマスク本体２の外側へ出すことができる。このため、飲み物を飲む際に呼気チューブ３２が邪魔になりにくい。また、通気用開孔２１１と第２通気用開孔２１６との間のスペースを利用して、呼気チューブ３２（コネクタ３１）を配置することができるため、鼻部からの呼気を適切に検出することができるし、酸素供給口２１０の位置と干渉することなく呼気チューブ３２（コネクタ３１）を配置することができる。
【００５４】
また、通気用開孔２１１，２１２及び第２通気用開孔２１６のいずれかを通して呼気チューブ３２が支持部材２４，２５に接続された場合でも、各通気用開孔２１１，２１２，２１６を塞ぐことなく呼気チューブ３２を固定できる。特に、呼気チューブ３２を第２通気用開孔２１６から通して固定する場合は、ストローでの飲水時や、口腔ケアなどの処置時に呼気チューブ３２を装着したままでも、呼気チューブ３２が邪魔になることがないため、呼気チューブ３２の再装着の手間や付け忘れのリスクを低減できる。
【００５５】
図６に示すように、呼気チューブ３２の先端を上側に向けた状態で支持部材２４に装着した場合、呼気チューブ３２の先端は、患者の鼻部９１の右側の鼻孔近傍に位置し、図７に示すように、呼気チューブ３２の先端を上側に向けた状態で支持部材２５に装着した場合、呼気チューブ３２の先端は、患者の鼻部９１の左側の鼻孔近傍に位置することとなる。一方、図８に示すように、呼気チューブ３２の先端を下側に向けた状態で支持部材２４に装着した場合、呼気チューブ３２の先端は、患者の口部９２の右端部近傍に位置し、呼気チューブ３２の先端を下側に向けた状態で支持部材２５に装着した場合、呼気チューブ３２の先端は、患者の口部９２の左端部近傍に位置することとなる。
【００５６】
本実施形態では、支持部材２４，２５のそれぞれは、呼気チューブ３２をマスク本体２の略上下方向にスライド可能に支持するため、呼気チューブ３２の先端を所望の方向に向けた状態で支持部材２４，２５のいずれかに装着し、上下にスライドさせることにより、より患者の呼気を検出しやすい位置へ移動させることが可能となる。
【００５７】
［呼気検出方法］
次に、上述したマスク装置１００を用いた呼気検出方法について説明する。まず、医師や看護師等（以下、医師等という）は、患者９が鼻呼吸であるか口呼吸であるかを確認する。患者が鼻呼吸である場合、呼気チューブ３２を、コネクタ接続部２１８、切欠き部２１９及び支持部材２４，２５のいずれに装着するかを選択する。例えば、呼気チューブ３２をコネクタ接続部２１８に接続する場合、患者９の頭部９３にマスク本体２を装着した後、コネクタ３１をコネクタ接続部２１８に接続して、呼気チューブ３２をマスク本体２に装着する。また、呼気チューブ３２を切欠き部２１９に装着する場合は、患者９の頭部９３にマスク本体２を装着した後、呼気チューブ３２を切欠き部２１９の嵌合部２１９２に嵌合させ、呼気チューブ３２をマスク本体２の前後方向（呼気チューブ３２の長手方向）にスライドさせて最も呼気を検出しやすい位置に呼気チューブ３２の先端を移動させる。つまり、患者９の鼻部から呼気チューブ３２の先端までの距離を近づけたり遠ざけたりして、呼気チューブ３２の先端位置を調節する。
【００５８】
また、呼気チューブ３２を支持部材２４，２５に装着する場合、例えば、患者９の頭部９３にマスク本体２を装着する前に、図６又は図７に示すように、呼気チューブ３２を支持部材２４，２５のいずれかに装着する。その後、患者９の頭部９３にマスク本体２を装着し、呼気チューブ３２をマスク本体２の内面に沿ってスライドさせて、最も呼気を検出しやすい位置に呼気チューブ３２の先端を移動させる。
【００５９】
なお、呼気チューブ３２を支持部材２４，２５に装着する場合には、第２通気用開孔２１６を通して支持部材２４，２５に呼気チューブ３２を装着することにより、マスク本体２を頭部９３に装着した際に、患者９の顔面９０とマスク本体２のフランジ部２２との間に隙間が生じない。また、患者９の頭部９３にマスク本体２を装着する前に呼気チューブ３２を支持部材２４，２５に装着することとしたが、これに限らず、患者９の頭部９３にマスク本体２を装着した後に呼気チューブ３２を支持部材２５，２５に装着することとしてもよく、装着手順は特に限定されない。また、呼気チューブ３２を通す通気用開孔は、第２通気用開孔２１６としたが、これに限らず、通気用開孔２１１，２１２であってもよい。
【００６０】
一方、患者９が口呼吸であることを医師等が確認した場合、医師等は、呼気チューブ３２を支持部材２４，２５のいずれに装着するかを選択する。呼気チューブ３２を支持部材２４に装着する場合には、患者９の頭部９３にマスク本体２を装着する前に、図８に示すように、通気用開孔２１２を通して呼気チューブ３２を支持部材２４に装着し、患者９の頭部９３にマスク本体２を装着した後、呼気チューブ３２をマスク本体２の内面に沿ってスライドさせて、最も呼気を検出しやすい位置に呼気チューブ３２の先端を移動させる。また、呼気チューブ３２を支持部材２５に装着する場合には、患者９の頭部９３にマスク本体２を装着する前に、通気用開孔２１１を通して呼気チューブ３２を支持部材２５に装着し、患者９の頭部９３にマスク本体２を装着した後、呼気チューブ３２をマスク本体２の内面に沿ってスライドさせて、最も呼気を検出しやすい位置に呼気チューブ３２の先端を移動させる。
【００６１】
このようにして呼気チューブ３２が呼気チューブ支持部としてのコネクタ接続部２１８、切欠き部２１９又は支持部材２４，２５に支持されることにより、呼気チューブ３２の呼気流通流路に患者９の呼気が確実に流通する。そして、呼気チューブ３２の基端部を通して呼気が呼気検出器３に供給されると、呼気検出器３により患者９の呼気から呼気情報を取得できる。
【００６２】
本実施形態では、呼気チューブ３２の先端と患者９の鼻部９１との距離及び呼気チューブ３２の先端と患者９の口部９２との距離を変更可能に構成されているので、呼気チューブの先端を患者の鼻部や口部の近傍に容易に固定することができる。すなわち、呼気チューブ３２を支持する呼気チューブ支持部（支持部材２４，２５、切欠き部２１９及びコネクタ接続部２１８）を変更するだけで、上記各距離を変更できる。また、呼気チューブ３２の先端を患者９の鼻部９１近傍及び口部９２近傍のいずれに向けた状態でも支持できるので、患者の呼吸（鼻呼吸及び口呼吸）に合わせて適切な位置に呼気チューブ３２の先端を固定することができる。このため、呼気チューブ３２に患者９の呼気を適切に流通させることができ、本実施形態のマスク装置１００を用いることにより、患者の呼気を適切に検出できる。また、本実施形態によれば、マスク本体２がコネクタ接続部２１８、切欠き部２１９及び支持部材２４，２５を備えているため、テープ等の固定手段を用いることなく、患者９の呼吸状態（鼻呼吸及び口呼吸）に合わせて呼気チューブ３２の先端を鼻部９１又は口部９２に容易に固定できる。
【００６３】
また、酸素供給口２１０の右側及び左側に位置する支持部材２４，２５が呼気チューブ３２をマスク本体２の略上下方向に沿って（角度αで若干傾斜して）支持できる構成であるため、呼気チューブ３２の先端が上側を向くように支持部材２４，２５に装着した場合、呼気チューブ３２の先端を患者９の鼻部９１の鼻孔近傍に配置することができ、呼気チューブ３２の先端が下側を向くように支持部材２４，２５に装着した場合、呼気チューブ３２の先端を患者の口部９２近傍に配置することができる。また、支持部材２４，２５が呼気チューブ３２をスライド可能に支持するので、鼻部９１及び口部９２のそれぞれと呼気チューブ３２の先端との距離を調節して、患者の呼吸の強さに応じて適切な位置に呼気チューブ３２の先端を配置できる。このため、呼吸が弱い患者であっても、確実に呼気を検出できる。
【００６４】
さらに、切欠き部２１９に呼気チューブ３２を嵌めた状態で呼気チューブ３２を該呼気チューブ３２の長手方向に移動できるので、患者の呼吸の強さに応じて適切な位置に呼気チューブ３２の先端を配置できる。すなわち、先端の位置をより患者の呼気を検出しやすい位置に配置することができるため、呼吸が弱い患者であっても、確実に呼気を検出できる。
【００６５】
上記実施形態では、一対の通気用開孔２１１，２１２及び第２通気用開孔２１６のいずれかを通して支持部材２４，２５に呼気チューブ３２を装着するので、呼気チューブ３２が患者９の肌に直接押し当てられることを抑制し、患者９の不快感や肌トラブルの発生等を防止できる。
【００６６】
また、本発明は上記実施形態に限定されるものではなく、本発明の趣旨を逸脱しない範囲において種々の変更を加えることが可能である。例えば、マスク本体２は、コネクタ接続部２１８を１つ有することとしたが、これに限らず、コネクタ接続部２１８をマスク本体２の異なる位置に２つ有することとしてもよい。
【００６７】
図１１は、上記実施形態の変形例におけるマスク本体２Ａの正面図である。
本変形例では、図１１に示すように、マスク本体２Ａの中心位置から若干上側位置のコネクタ接続部２１８とは別に、コネクタ接続部２１８Ａを有する。このコネクタ接続部２１８Ａは、マスク本体２Ａの酸素供給口２１０の右側に位置し、患者９がマスク本体２を装着した際には患者９の口部９２の左端部近傍に位置することとなる。コネクタ接続部２１８Ａは、例えばコネクタ接続部２１８と同形状かつ同素材により構成されている。このため、本変形例では、コネクタ接続部２１８に呼気チューブ３２のコネクタ３１を接続すると、患者９の鼻部９１近傍の呼気を検出でき、コネクタ接続部２１８Ａにコネクタ３１を接続すると患者９の口部９２近傍の呼気を検出できる。すなわち、本変形例では、呼気チューブ３２のコネクタ３１の接続先を変更するだけで、呼気チューブ３２の先端と患者９の鼻部９１及び口部９２との距離を容易に変更でき、患者９の呼吸状態に合わせて患者９の呼気を検出できる。
【００６８】
なお、上記変形例では、コネクタ接続部２１８，２１８Ａを設けることとしたが、これに限らず、さらに多くのコネクタ接続部を設けることとしてもよい。また、コネクタ接続部２１８Ａは、酸素供給口２１０の右側に位置することとしたが、酸素供給口２１０の左側に位置することとしてもよい。
【００６９】
上記実施形態では、２つの支持部材２４，２５を備えることとしたが、これに限らず、例えば、いずれか一方のみが設けられていてもよい。
また、上記実施形態では、支持部材２４，２５のそれぞれは、溝部２４１，２５１を形成し、該溝部２４１，２５１により呼気チューブ３２を挟持する構成の支持部材であることとしたが、これに限らず、例えば、フック状であってもよい。すなわち、呼気チューブ３２を支持できれば、その形状は問わない。
【００７０】
上記実施形態では、呼気チューブ支持部として、コネクタ接続部２１８、切欠き部２１９及び支持部材２４，２５を備えることとしたが、これに限らず、コネクタ接続部、切欠き部及び支持部材のうちいずれか１つ又は２つを備えることとしてもよい。すなわち、呼気チューブ３２の先端と患者の鼻部及び口部との距離の少なくとも一方の距離を変更できれば、呼気チューブ支持部の数及び種類は問わない。
【産業上の利用可能性】
【００７１】
本発明は、患者に装着され、患者の呼気の検出に用いることができる。
【符号の説明】
【００７２】
１  呼気検出装置
２  ２Ａ  マスク本体
３  呼気検出器
４  酸素供給器
５  装着用紐
９  患者
２１  カバー部
２１０  酸素供給口
２１１  ２１２  通気用開孔（開孔、第１開孔）
２１３  コネクタ取付け部
２１４  ２１５  切欠片部
２１６  第２通気用開孔（開孔、第２開孔）
２１７  連通孔
２１８  ２１８Ａ  コネクタ接続部（呼気チューブ支持部）
２１９  切欠き部（切欠き状支持部、呼気チューブ支持部）
２１９１  挿入部
２１９２  嵌合部
２２  フランジ部
２２１〜２２８  紐取付け用孔
２３１〜２３４  包帯取付け用長孔
２４，２５  支持部材（突出状支持部、呼気チューブ支持部）
２４１，２５１  溝部
３１  コネクタ
３２  呼気チューブ
３３  外部接続用コネクタ
４１  チューブコネクタ
４２  酸素チューブ
４３  外部接続用コネクタ
９０  顔面
９１  鼻部
９２  口部
９３  頭部
９４  左目
９５  右目
１００  マスク装置
【図１】
2020080357.tif 000003
【図２】
2020080357.tif 000004
【図３】
2020080357.tif 000005
【図４】
2020080357.tif 000006
【図５】
2020080357.tif 000007
【図６】
2020080357.tif 000008
【図７】
2020080357.tif 000009
【図８】
2020080357.tif 000010
【図９】
2020080357.tif 000011
【図１０】
2020080357.tif 000012
【図１１】
2020080357.tif 000013
【国際調査報告】
2020080357.tif 000014
2020080357.tif 000015
2020080357.tif 000016
2020080357.tif 000017